(57)【要約】【課題】加熱調理器に対し最適な調理条件を設定可能でかつ当該加熱調理器を用いた調理を自動化する調理システムを提供する。【解決手段】調理対象の食品の調理条件を入力可能で、かつ該調理条件を示すコード情報を無線通信または赤外線通信により送信可能な、携帯電話機またはＰｅｒｓｏｎａｌ  Ｈａｎｄｙｐｈｏｎｅ  Ｓｙｓｔｅｍまたは携帯情報端末またはノート型パーソナルコンピュータ等の情報端末（２）と、この情報端末からコード情報を受信する受信手段を有して、受信した前記コード情報の登録後、登録されたいずれかのコード情報により示される調理条件に従った調理を行う加熱調理器（１）とを用いる。【選択図】        図１
2004347163.tif 000002
【特許請求の範囲】
【請求項１】
調理対象の食品の調理条件を入力可能で、かつ該調理条件を示すコード情報を無線通信または赤外線通信により送信可能な情報端末と、
前記情報端末から前記コード情報を受信する受信手段を有して、受信した前記コード情報の登録後、登録されたいずれかのコード情報により示される調理条件に従った調理を行う加熱調理器と、から構成される
ことを特徴とする調理システム。
【請求項２】
前記加熱調理器は、オーブン電子レンジである
ことを特徴とする請求項１に記載の調理システム。
【請求項３】
前記調理条件は、調理対象の電子レンジ／オーブンの動作モードの別ならびにその加熱出力の強度と加熱時間を規定する調理方法を含むものであり、
前記加熱調理器は、前記調理方法に従って、電子レンジ／オーブンの動作モードの切り替えを連続的に行うとともに、前記加熱出力の強度と加熱時間を連続的に変化させる
ことを特徴とする請求項２に記載の調理システム。
【発明の詳細な説明】
【０００１】
【発明の属する技術分野】
本発明は、情報端末から、プログラム化された調理条件を加熱調理器に与えることにより、調理を自動化する調理システムに関する。
【０００２】
【従来の技術】
これまでのオーブン電子レンジでは、オーブンとしての動作と電子レンジとしての動作のどちらかを手動で選択し、さらに、一定の加熱時間と一定の加熱温度を手動で選択するといった操作をするのが一般的である。このように従来は、加熱調理器の調理条件設定を人が手動で行うため、必ずしも最適な調理条件で調理できず、調理を失敗する場合もあった。
一方、着脱可能なリモコンを採用することによって、加熱調理器（電子レンジ）本体の操作の簡便性を損なわずに、本体のみでは行えない詳細かつ微妙な加熱条件設定を可能にし、食材に合わせた最適な加熱条件を開発する作業性を高めることを目的とした特許文献１に記載の技術がある。
【０００３】
【特許文献１】
特開平９−２７３８７号公報
【０００４】
【発明が解決しようとする課題】
これまでの一般的なオーブン電子レンジ等の加熱調理器では、食品に最適な調理条件で調理を行わせることが困難であり（例えば、オーブン機能と電子レンジ機能を続けて機能させることなどが、手動では困難であった）。また、加熱出力の強度や加熱時間等の条件設定を手動で行うため、設定ミスが発生し、調理を失敗することもあった。また、従来の加熱調理器では、調理（加熱）の終了までの時間を設定しており、調理開始の日時を設定できるものではなかった。
一方、特許文献１に記載の技術は、専用のリモコンを用いることにより本体のみでは行えない詳細かつ微妙な加熱条件設定を可能にするものであるが、専用のリモコンが必要であり、また従来の加熱調理器と同じように、使用者が当該調理を開始させ、出来上がりを待つことになる。
【０００５】
本発明は、上記の点に鑑みてなされたもので、加熱調理器に対し最適な調理条件を設定可能でかつ当該加熱調理器を用いた調理を自動化する調理システムを提供するものである。
【０００６】
【課題を解決するための手段】
請求項１に記載の発明は、調理対象の食品の調理条件を入力可能で、かつ該調理条件を示すコード情報を無線通信または赤外線通信により送信可能な情報端末と、
前記情報端末から前記コード情報を受信する受信手段を有して、受信した前記コード情報の登録後、登録されたいずれかのコード情報により示される調理条件に従った調理を行う加熱調理器と、から構成されることを特徴としている。
【０００７】
また、請求項２に記載の発明は、請求項１に記載の調理システムにおいて、前記加熱調理器が、オーブン電子レンジであることを特徴としている。
【０００８】
また、請求項３に記載の発明は、請求項２に記載の調理システムにおいて、前記調理条件が、調理対象の電子レンジ／オーブンの動作モードの別ならびにその加熱出力の強度と加熱時間を規定する調理方法を含むものであり、前記加熱調理器が、前記調理条件に従って、電子レンジ／オーブンの動作モードの切り替えを連続的に行うとともに、前記加熱出力の強度と加熱時間を連続的に変化させることを特徴としている。
【０００９】
請求項１に記載の調理システムでは、携帯電話機またはＰｅｒｓｏｎａｌ  Ｈａｎｄｙｐｈｏｎｅ  Ｓｙｓｔｅｍまたは携帯情報端末またはノート型パーソナルコンピュータ等の情報端末に、調理条件（調理開始日時の他、加熱出力の強度や加熱時間等の調理方法）を入力し、この調理条件を示すコード情報を無線通信または赤外線通信により加熱調理器に送信する。上記情報端末から調理条件を示すコード情報を受信した加熱調理器は、このコード情報を登録し、登録されたいずれかのコード情報が示す調理条件に従って調理を開始する。
本発明では、加熱調理器に対し、上記情報端末を用いて調理対象の食品の調理条件を複数設定でき、設定された調理条件により調理対象の食品の調理の開始から終了までを自動化することができる。
【００１０】
請求項２に記載の調理システムは、加熱調理器が特にオーブン電子レンジである。
請求項３に記載の調理システムは、オーブン電子レンジである加熱調理器に対し、調理対象の電子レンジ／オーブンの動作モードの別（電子レンジによる加熱／オーブンによる加熱／余熱による加熱等）ならびにその加熱出力の強度と加熱時間を規定する調理方法を含む調理条件を与える。当該オーブン電子レンジは、与えられた調理方法に従って、電子レンジ／オーブンの動作モードの切り替えを連続的に行うとともに、加熱出力の強度と加熱時間を連続的に変化させる。
このように、本発明の調理システムでは、コード化された調理条件を加熱調理器に与えることで、手動では困難であった最適な調理を自動化できる。
【００１１】
【発明の実施の形態】
以下、本発明の実施の形態を、図面を参照して説明する。
図１は、本発明の一実施の形態である調理システムの構成を示す図である。
本実施の形態の調理システムは、オーブン電子レンジ１と、携帯電話機またはＰｅｒｓｏｎａｌ  Ｈａｎｄｙｐｈｏｎｅ  Ｓｙｓｔｅｍまたは携帯情報端末またはノート型パーソナルコンピュータ等の情報端末２とから構成される。
情報端末２からは、赤外線通信（あるいは無線通信）によりオーブン電子レンジ１へ、使用者により設定された調理条件（後述）を示すコード情報が送信される。一方、オーブン電子レンジ１は、情報端末２から送信される上記調理条件を示すコード情報を受信し、このコード情報に従って調理を行う。
【００１２】
まず、オーブン電子レンジ１の構成について、図２を参照し説明する。
オーブン電子レンジ１は、同図に示すように、コントローラ１１、ＲＯＭ１２、ＲＡＭ１３、電子レンジ加熱ブロック１４、オーブン加熱ブロック１５、ＬＣＤタッチパネル１６、ＩｒＤＡ送受信部１７、日付タイマー１８を備え、コントローラ１１と各デバイスは、バスまたは信号線により接続されている。
【００１３】
コントローラ１１は、コントロールプログラムによりオーブン電子レンジ１の各部を制御する（本発明に係る制御の詳細は後述する）。
また、同図に示すＲＯＭ１２には、上記コントロールプログラムが格納されている。また、ＲＡＭ１３には、コントローラ１１が用いるワークエリアや、情報端末２から与えられるコード情報（一例として同図に示すＲＡＭのデータ内容）を格納するエリアが設定されている。
電子レンジ加熱ブロック１４は、いわゆる電子レンジとしての機能構成部分であり、オーブン加熱ブロック１５は、いわゆる電気オーブンとしての機能構成部分をなすものである。
【００１４】
ＬＣＤタッチパネル１６は、現在日付・時刻や、情報端末２から与えられる情報（調理条件）の表示やその他タッチキーに対応する操作用表示等を行うためのＬＣＤ（Ｌｉｑｕｉｄ  Ｃｒｙｓｔａｌ  Ｄｉｓｐｌａｙ）と、上記タッチキーとして入力を受け付けるタッチパネルとから構成されている。
【００１５】
ＩｒＤＡ送受信部１７は、ＩｒＤＡ（Ｉｎｆｒａｒｅｄ  Ｄａｔａ  Ａｓｓｏｃｉａｔｉｏｎ）規格に基づく赤外線通信を行う無線インターフェースである。
日付タイマー１８は、現在の日時を計時するタイマーであり、情報端末２から与えられるコード情報（調理条件）に含まれる調理開始日時と比較するために使用される。この日付タイマー１８が計時する日時のデータは、ＲＡＭ１３に格納される。
以上のように、本実施の形態のオーブン電子レンジ１は、ＩｒＤＡ送受信部１７、日付タイマー１８を備える点を除き、一般的なオーブン電子レンジと同様の構成となっている。
【００１６】
ここで、調理開始日時（以下、調理日時と称す）や、加熱方法ならびにその加熱出力の強度と加熱時間を規定する調理方法のコード化について説明する。
【表１】
2004347163.tif 000003
表１は、加熱方法のコード化例を示している。ここで言う加熱方法は、電子レンジによる加熱と、オーブンによる加熱（オーブンベイク）と、余熱による加熱の別を言い、この例では、それぞれにコード１，２，０を割り当てている。
【００１７】
【表２】
2004347163.tif 000004
表２は、加熱出力の強度（出力強度）のコード化例を示している。この例では、０Ｗから１０００Ｗまで１００Ｗ単位にそれぞれ０〜１０のコードを割り当てている。
【００１８】
【表３】
2004347163.tif 000005
表３は、加熱時間（調理時間）のコード化例を示している。この例では、０分から６０分まで１分単位にそれぞれ００，０１，〜６０のコードを割り当て、０秒から５９秒まで１秒単位にそれぞれ００，０１，〜５９のコードを割り当てている。
また、食品名や賞味期限に対しても所定のコードを割り当てる。
【００１９】
例えば、調理方法が、電子レンジ（コード“１”）で出力６００Ｗ（コード“６”）・加熱時間３分（コード“０３”）０秒（コード“００”）、続いてオーブン（コード“２”）で出力８００Ｗ（コード“８”）・加熱時間２分（コード“０２”）０秒（コード“００”）、余熱調理（コード“０”）で調理時間１分（コード“０１”）３０秒（コード“３０”）である場合、この調理方法は、“１６０３００２８０２０００００１３０”のようにコード化される。なお、余熱加熱時の出力強度は０Ｗであり、そのコードは“０”である。さらに調理日時が‘０３年１月０２日  ６：００ａｍの場合、そのコードは“０３０１０２０６０００”となる。このコードの末尾の“１”がｐｍを示す（ここでは、ａｍ，ｐｍに対し、それぞれコード“０”，“１”を割り当てている）。
【００２０】
オーブン電子レンジ１には、情報端末２から、食品名、調理日時、調理方法をその情報としてもつコード情報（調理プログラム）が与えられる。情報端末２から与えられた情報は、ＬＣＤタッチパネル１６に表示される。図３に、このＬＣＤタッチパネル１６における表示例を示している。同図においては、現在日時（“２００３年１月１日  ７：００ｐ．ｍ．”）、食品名（“グラタン”）、調理日時（“調理日時２００３年１月２日  ６：００ａｍ”）の表示、調理方法（“解凍  電子レンジ  ６００Ｗ  ３分”；“ベイク  オーブン  ８００Ｗ  ２分”；“余熱  １分３０秒”）の表示、出来上がり表示（“出来上がり”）、タッチキーに対応する表示等がされている。本発明は、プログラム化された調理条件を、情報端末２を用いて設定するものであるが、このＬＣＤタッチパネル１６のタッチキーを用いて設定することも可能である。また、調理条件の設定は、食品名毎、調理日時毎等、複数登録可能である。
【００２１】
本実施の形態では、以上の調理条件等の情報が情報端末２に入力され、この情報をコード化し、オーブン電子レンジ１に与えるが、食品名や食品の調理方法を予めコード化し食品のパッケージ等に対応するバーコードとして印刷し、これをバーコード読み取り可能な情報端末２が読み取ることで、そのコード情報を情報端末２に入力し、オーブン電子レンジ１に与えるようにしてもよい。この場合、上記のようにＬＣＤタッチパネル１６に表示される食品名、調理方法は食品パッケージに記載されたバーコードから読み取られるデータである。
【００２２】
バーコードを利用する場合、国際ＥＡＮ（Ｅｕｒｏｐｅａｎ  Ａｒｔｉｃｌｅ  Ｎｕｍｂｅｒ）協会で標準化されているＥＡＮ−１２８  ＣＯＤＥ−Ｃによるバーコードを利用することができる。このＥＡＮ−１２８  ＣＯＤＥ−Ｃでは、１つのバーパターンで２桁の数字を表すことができるので、調理方法のコード、オーブン電子レンジ１の出力強度のコード、調理時間のコード等を、比較的短いバーコード長で構成することが可能である。
【００２３】
このＥＡＮ−１２８  ＣＯＤＥ−Ｃのデータ形式は、アプリケーション識別子（ＡＩ：Ａｐｐｌｉｃａｔｉｏｎ  Ｉｄｅｎｔｉｆｉｃａｔｉｏｎ）という各データ項目毎に定められるコードと、それに対応するデータの内容の組み合わせで表示する形式となっており、一つのバーコードに二個以上のデータ項目を同時に表示できる特長を持っている。
ここでは、アプリケーション識別子として、図４に示すコード（食品名：０１、賞味期限：１５、調理方法：３０）を用いる。
【００２４】
例えば、前述の調理方法の例では、そのコードが、“１６０３００２８０２０００００１３０”となるが、賞味期限が‘０３年２月７日の場合、そのコードとして“０３０２０７”が付加される。また、調理する食品がグラタンで、そのコードが“０４”である場合、食品名、賞味期限、調理方法からなるコード全体を、ＥＡＮ−１２８  ＣＯＤＥ−Ｃによるバーコードフォーマットで表現すると、図５のようになる。なお、チェックデジット“９７”は、ＥＡＮ−１２８  ＣＯＤＥ−Ｃにおいて標準のモジュラス１０３の計算方法による。
【００２５】
情報端末２が読み取ったバーコードは、使用するバーコードの規格（ここでは、ＥＡＮ−１２８  ＣＯＤＥ−Ｃ）に従ってデコードされ、キャラクタ（英数字／記号）・コードの列からなるデータに変換される。このデータの内、食品名のコードと調理方法のコードに、情報端末２に別途入力される調理日時のコードが付加されたコードがオーブン電子レンジ１に与えられる。
【００２６】
ここで、バーコード読み取り可能な情報端末２の一実施例であるカメラ付き携帯電話機２’（以下、携帯電話機２’と称す）を示し説明する（図６参照）。
【００２７】
図６に示すように、携帯電話機２’は、携帯電話機能ブロック２０、イメージセンサー２１、ＩｒＤＡ送受信部２２、フレームＲＯＭ２３、コントローラ２４、ＲＯＭ２５、ＲＡＭ２６を備えている。携帯電話機能ブロック２０は、さらに、携帯電話機として無線通信網と通信をするための携帯電話通信モジュール２０ａと、入力手段としてのキーボード２０ｂと、表示手段としてのＬＣＤ表示パネル２０ｃを備えている。
【００２８】
イメージセンサー２１は、撮像素子であり、ＣＭＯＳイメージセンサーやＣＣＤイメージセンサーを用いることができる。ＩｒＤＡ送受信部２２は、ＩｒＤＡ規格に基づき構成され、同規格の赤外線通信機能をもつ他の機器と赤外線通信を行う無線インターフェースである。フレームＲＯＭ２３は、ＬＣＤ表示パネル２０ｃに撮影画像と重ねて表示する後述のフレーム枠（以下、フレームと称す）に関するデータ（縦・横のサイズ（長さまたはピクセル数）、表示位置等）が格納されている。
【００２９】
コントローラ２４は、コントロールプログラムにより携帯電話機２’の各部を制御する。
また、同図に示すＲＯＭ２５には、上記コントロールプログラムの他、携帯電話機能ブロック２０で用いる着信音用の楽曲データ等各種データが格納されている。上記フレームＲＯＭ２３は、このＲＯＭ２５と共用してもよい。
また、ＲＡＭ２６には、コントローラ２４が用いるワークエリアや、撮像した画像の画像データを格納するエリアが設定されている。
以上のように、本実施例の携帯電話機２’は、ＩｒＤＡ送受信部２２およびフレームＲＯＭ２３を備える点を除き、一般的なカメラ付き携帯電話機と同様の構成となっている。
【００３０】
次に、前述のように構成された携帯電話機２’の動作について、図７，８を参照し説明する。
なお、図８に示すフローチャートは、一例として図７に示すイメージセンサー２１の出力データから（この例では、縦（Ｙ方向）１６ピクセル、横（Ｘ方向）２２ピクセルの画素数であるとする）、同図に示す座標（９，５）、（１６，５）、（９，１２）、（１６，１２）で囲まれる範囲（これがフレーム内に相当する）の画素を有効な画素とするトリミングを行う場合を説明するものである。他の種類のフレームに対しては、選択されたフレームに応じて、このフローチャート内の判断の部分に設定される定数値を適宜変更することで対応することができる。また、以下の説明では、イメージセンサー２１からの出力データの読み出しは、図７に示す座標（Ｘ座標，Ｙ座標の組）の（１，１）、（２，１）〜（２２，１）、（１，２）、（２，２）〜（２２，２）、〜（１，１６）〜（２２，１６）の順番で行われるものとする。
【００３１】
はじめに、初期値として変数Ｘ，Ｙ，Ａ，Ｂにそれぞれ“１”を設定する（ステップＳ２０１）。なお、Ｘ，Ｙは、イメージセンサー２１のＸ座標、Ｙ座標に対応し、（Ｘ，Ｙ）はこのＸ座標、Ｙ座標の画素データ（イメージセンサー２１の出力データ）を意味する。またＡ，Ｂは、同様に上記Ｘ座標、Ｙ座標に対応するが、（Ａ，Ｂ）は、イメージセンサー２１から読み出された画素データであって、かつ有効化または無効化された画素データを意味する。
【００３２】
上記初期設定後、Ｘ＜９またはＸ＞１６であるか否か、すなわち当該画素がＸ軸方向に関しフレーム外であるか否か判断する（ステップＳ２０２）。
ステップＳ２０２の判断でＸ軸方向に関しフレーム外であると判定されると（この判断でＹＥＳの判定）、ステップＳ２０３に移行する。
一方、ステップＳ２０２の判断でＸ軸方向に関しフレーム内であると判定されると（この判断でＮＯの判定）、ステップＳ２０４に移行し、さらにＹ＜５またはＹ＞１２であるか否か、すなわち当該画素がＹ軸方向に関しフレーム外であるか否か判断する。
【００３３】
このステップＳ２０４の判断で、Ｙ軸方向に関しフレーム外であると判定されると（この判断でＹＥＳの判定）、ステップＳ２０３に移行する。
ステップＳ２０３では、（Ｘ，Ｙ）と全ビットが０（ゼロ）の“０”との論理積をとったデータを（Ａ，Ｂ）に代入し、このＸ，Ｙ座標の画素データを無効にする。
一方、ステップＳ２０４の判断で、Ｙ軸方向に関しフレーム内であると判定されると（この判断でＮＯの判定）、ステップＳ２０５に移行する。このとき、当該Ｘ，Ｙ座標の画素はフレーム内にある。
【００３４】
ステップＳ２０５では、（Ｘ，Ｙ）と全ビットが１の“１”との論理積をとったデータ（すなわちＸ，Ｙ座標の画素データ（Ｘ，Ｙ）そのもの）を（Ａ，Ｂ）に代入し、このＸ，Ｙ座標の画素データを有効にする。
以後、ステップＳ２０６、Ｓ２０８の判断と、ステップＳ２０７、Ｓ２０９において処理の対象とする画素データの座標を１ずつシフトすることにより、Ｙ軸方向の下限であるＹ＝１から上限であるＹ＝１６までのそれぞれに対し、Ｘ軸方向の下限であるＸ＝１から上限であるＸ＝２２まで、対応する上記画素データの有効化／無効化の処理を行う。
なお、ステップＳ２０３，Ｓ２０５における演算子“＊”は、論理積を表す。
【００３５】
以上のようにして、フレーム内に相当する（９，５）〜（１６，５）、（９，６）〜（１６，６）、〜（９，１２）〜（１６，１２）のイメージセンサー２１の出力データを読み出す場合には、これと全ビットが１の“１”との論理積をとることにより有効とし、一方、フレーム外の出力データを読み出す場合は、これと全ビットが０（ゼロ）の“０”との論理積をとることにより無効とする。
このように処理することで、例えば、図９左側に示すようにバーコードを含む被写体の画像に対し、同図右側に示すようにフレームで囲まれたバーコード部分以外がフレームアウトされた画像データが得られる。
携帯電話機２’は、このバーコードの画像データに画像処理を施して抽出されるコントラストパターンデータに対し、ＥＡＮ−１２８  ＣＯＤＥ−Ｃ規格に従ってデコードを行って得られる食品名、調理方法の情報と、別途入力される調理日時を含めたコード情報を、赤外線通信によりオーブン電子レンジ１に与える。
【００３６】
次に、前述のように構成された本実施形態の調理システムの動作について図１０により説明する。
【００３７】
はじめに、使用者が、情報端末２（またはＬＣＤタッチパネル１６）を操作して、食品名、調理日時、調理方法の情報（調理条件）を入力し、これを前述のようにコード化したコード情報をオーブン電子レンジ１に送信する（ステップＳ１０１）。なお、上記携帯電話機２’を利用する場合は、前述のように調理方法等を示すバーコードを撮像することにより読み取り、これから食品名、調理方法の情報を得て、さらに使用者により入力される調理日時を付加したコード情報をオーブン電子レンジ１に送信する。
オーブン電子レンジ１は、情報端末２（またはＬＣＤタッチパネル１６）から送信されるコード情報を受信して、ＲＡＭ１３に格納する（ステップＳ１０２）。このコード情報は、情報端末２から受信する毎にＲＡＭ１３に格納する（登録する）。
【００３８】
そして、日付タイマー１８により計時されＲＡＭ１３に格納された現在日付と、各調理条件の調理日時とを比較し、一致するまで、一致しているか否か判断を繰り返す（ステップＳ１０３）。
このステップＳ１０３の判断で、現在日時が、いずれかのコード情報（調理プログラム）が示す調理日時と一致したと判定されると（この判断でＹＥＳの判定）、オーブン電子レンジ１は、当該コード情報により示される調理方法に従った調理の制御を開始する（ステップＳ１０４）。このように、現在日時と調理日時が一致した調理プログラムが実行される。なお、以下の図１１に示された動作フローは、コード化について説明する際例示した前述の調理方法を例とするものである。
【００３９】
まず、電子レンジで、６００Ｗの出力で３分加熱し解凍を行う（ステップＳ１０５）。
そして、オーブンで、８００Ｗの出力で２分加熱し焼き上げ（ベイク）を行う（ステップＳ１０６）。
最後に、余熱（出力０Ｗ）で、１分３０秒加熱する（ステップＳ１０７）。このように、加熱調理器１は、与えられた調理方法に規定された通りに、電子レンジ／オーブンの動作モードの切り替えを連続的に行うとともに、加熱出力の強度と加熱時間を連続的に変化させて調理を行う。
以上の調理が完了すると、ＬＣＤタッチパネル１６に、“出来上がり”の表示をして（ステップＳ１０８）終了する。
【００４０】
なお、上記で説明した動作フローは一例であって、本発明は、上記の処理の流れに限定されるものではない。
また、この発明の実施形態を、上述の通り図面を参照して詳述してきたが、具体的な構成はこの実施形態に限られるものではなく、この発明の要旨を逸脱しない範囲の構成等も含まれる。例えば、加熱調理器に登録される調理条件を食品名毎に登録して保存するようにし、調理日時のみ別途あらためて設定するようにしてもよい。このようにすれば、２回目以降の調理条件の設定が簡単になる。
【００４１】
【発明の効果】
以上、詳細に説明したように、本発明によれば、加熱調理器に対し、汎用的な情報端末を利用して調理対象の食品の調理条件を複数設定でき、設定された調理条件により調理対象の食品の調理の開始から終了までを自動化することができる。また、コード化された調理条件を加熱調理器に与えることで、手動では困難であった最適な調理を自動化できる。
【図面の簡単な説明】
【図１】本発明の一実施形態である調理システムの構成を示す図である。
【図２】同実施形態におけるオーブン電子レンジの概略構成を示すブロック図である。
【図３】ＬＣＤタッチパネルの表示例である。
【図４】ＥＡＮ−１２８  ＣＯＤＥ−Ｃによるバーコードのアプリケーション識別子の一例である。
【図５】ＥＡＮ−１２８  ＣＯＤＥ−Ｃによるバーコード（全体）の一例である。
【図６】同実施の形態における情報端末の一例であるカメラ付き携帯電話機の概略構成を示すブロック図である。
【図７】同カメラ付き携帯電話機の動作を説明するための図である。
【図８】同カメラ付き携帯電話機の動作フローチャートの一例である。
【図９】同カメラ付き携帯電話機によるバーコード撮像時の動作を説明する図である。
【図１０】同実施の形態の調理システムの動作フローチャートである。
【図１１】同実施の形態の調理システムの動作フローチャートである。
【符号の説明】
１…オーブン電子レンジ、１１，２４…コントローラ、１２，２５…ＲＯＭ、１３，２６…ＲＡＭ、１４…電子レンジ加熱ブロック、１５…オーブン加熱ブロック、１６…ＬＣＤタッチパネル、１７，２２…ＩｒＤＡ送受信部、１８…日付タイマー、２…情報端末、２’…カメラ付き携帯電話機、２０…携帯電話機能ブロック、２０ａ…携帯電話通信モジュール、２０ｂ…キーボード、２０ｃ…ＬＣＤ表示パネル、２１…イメージセンサー、２３…フレームＲＯＭ
【図１】
2004347163.tif 000006
【図２】
2004347163.tif 000007
【図３】
2004347163.tif 000008
【図４】
2004347163.tif 000009
【図５】
2004347163.tif 000010
【図６】
2004347163.tif 000011
【図７】
2004347163.tif 000012
【図８】
2004347163.tif 000013
【図９】
2004347163.tif 000014
【図１０】
2004347163.tif 000015
【図１１】
2004347163.tif 000016
【手続補正書】
【提出日】平成15年5月21日(2003.5.21)
【手続補正１】
【補正対象書類名】図面
【補正対象項目名】図２
【補正方法】変更
【補正の内容】
【図２】
2004347163.tif 000017